(57)【要約】      （修正有）【課題】時間の推移とともに変化する業務の動的な情報を関係者が適切に把握認識し迅速に対応処置を起こせる機能を有しなかったグループウェアとリレーショナルデータベースの限界を解決する。【解決手段】業務別の作業特性を網羅したデータベース属性を保有する情報や、当該作業に携わる人的要員のデータベース属性をアイコン化し、作業の進行状況に即して、アイコンの貼付を検知しうるワークシート上に該アイコンを貼りつけることによって、作業の進行状況をリアルタイムに更新可能な動的で視覚的な情報として表示する。作業構成要素や要員属性をアイコン化し、また作業工程をシート化することにより、メンバー全員が業務の変動や推移を共有し、かつ当該アイコンを画面上で任意に移動させ、任意に接合することにより、データベース相互間のリレーショナルな関係の設定や属性の変更を、煩雑な手間をかけることなしに行う。【選択図】図１
2007299360.tif 000002
【特許請求の範囲】
【請求項１】
コンピュータに接続されたスキャナもしくはタブレット等の入力装置から読み込んだ写真もしくは似顔絵から、その対象者を特定できる顔の輪郭もしくは人体の全体像を具現化した人間の形状を模式化した図形であるアイコンを生成する機能を持つプログラムであり、
さらに、該アイコンには、氏名、年齢、所属、役職、電話番号、メールアドレス、などの業務属性情報及び、住所、誕生日、家族、趣味、特技などの個人情報等、その対象者の属性を表す項目を入力し登録する機能を有するデータベースを付加生成する機能を持つプログラムを用いた情報処理の方法
【請求項２】
コンピュータに接続されたスキャナもしくはタブレット等の入力装置を用いて、会社もしくはその他の有機的な行動を行う組織体における作業遂行上の課題、ならびに、作業遂行に必要な資源を表す要素、を具現化したアイコンを生成する機能を持つプログラムであり
さらに、該アイコンには、資源名称、資源価格、資源の調達方法、使用方法、使用法、予算、経費、情報名称、課題、トラブル、解決の可能性等、その対象業務の属性ならびにその対象業務の機能を表す項目を入力し登録する機能を有するデータベースを付加生成する機能を持つプログラムを用いた情報処理の方法
【請求項３】
さらに、請求項１、請求項２、で定めるアイコンに包含されるデータベースには、他のアイコンや図形と重なり合った場合に、その重なりを検知し、重なりによってそれぞれのデータベースの内容が変化する項目を事前に定める機能を持つプログラムを用いた情報処理の方法
【請求項４】
請求項１、請求項２、で定めるアイコン同士が触れ合った場合には、互いのデータベース中に包含される課題を抽出し、あるいはそれぞれの属性を比較し、どちらが優位であるかを検出し、もしくは相手方のデータベース中の要件を吸収する機能を持つプログラムを用いた情報処理の方法
【請求項５】
請求項１、で定める人間の形状を有するアイコン同士が接触した場合には、その接触を感知し、それぞれの属性を表すデータベースを点検し、互いのデータベース中に接触によって更新すべき項目が発見された場合には、その項目を更新する機能を持つプログラムを用いた情報処理の方法
【請求項６】
会社もしくはその他の有機的な行動を行う組織体全体の組織を網羅して、階層的に示される組織の体系を表す図を生成する機能を持つプログラムを用い、
かつ、組織の体系を表す図上に、請求項１、で定める人間の形状を有するアイコンを、手もしくはタッチセンサー、もしくはキーボード、もしくはマウス等の入力装置によって移動させ、または貼付ける機能を持つプログラムを用いた情報処理の方法
【請求項７】
請求項６、で定める組織の体系を表す図上にアイコンが貼り付けられた時には、それを感知し、アイコンに包含されたデータベースの属性を比較し、接触によって更新すべき項目が発見された場合には、その項目を更新する機能を持つプログラムを用いた情報処理の方法
【請求項８】
業務の遂行に必要な業務要素及び業務進行スケジュール等、業務の進行状態を定義する機能を持ち、業務の進行状況を認知しうる形式の作業シートを作成し表示する機能を持つプログラムを用い、
かつ、作業シートには、その業務の名称や業務のコード名、業務の目的、成果、担当者、予測工程等を示す属性情報を定めることができるプログラムを用いた情報処理の方法
【請求項９】
請求項８、で定める作業シート上には、手もしくはタッチセンサー、もしくはキーボード、もしくはマウス等の入力装置によって移動させ、請求項１、で定めるアイコン、ならびに、請求項２、で定めるアイコンを貼り付けることができ、貼り付けられたことを感知する機能を持つプログラムを用いた情報処理の方法
【請求項１０】
作業シート上に、請求項１、ならびに請求項２、で定めるアイコンが貼り付けられた場合には、それを感知し、もし、あらかじめ定めた予定と相違した場合、あるいは作業推進に影響を与える事項を検知した場合、あるいは、作業上の問題発生を示す課題アイコンが貼り付けられた場合、事前に定めたメンバーに通知し、メンバーからの対応行動を促す機能を持つプログラムを用いた情報処理の方法
【請求項１１】
請求項８、で定める作業シートが形成された場合に、請求項８、で定める予測工程を検知し、年、月、週、日ごとに分けられたスケジュール表を自動的に生成する機能を持つプログラムを用いた情報処理の方法
【請求項１２】
請求項１１、で定めるスケジュール表の同一項目中に、請求項１、で定める複数の人間アイコンが貼り付けられた場合にはそれを検知し、貼り付けられたすべてのメンバーの電子メールアドレスに対してスケジュール調整用の電子メールを自動的に発信する機能を持つプログラムを用いた情報処理の方法
【請求項１３】
請求項１、で定めるアイコン同士が接触し、もしくは重なり合うことによってその属性が変化した場合には、該アイコンの表情が変化する機能を持つプログラムを用いた情報処理の方法
【請求項１４】
さらに、相異なるアイコン同士の関係の変化を示す表示装置を有し、該表示装置上には、手もしくはタッチセンサー、もしくはキーボード、もしくはマウス等の入力装置によって移動させ、または貼付けた相異なるアイコン同士の接触や乖離を示し、相異なるアイコン同士の関係の進展やトラブルを示し、あるいは、相異なるアイコン同士の期待や失望等の感情を示す機能を持つプログラムを用いた情報処理の方法
【請求項１５】
請求項１、請求項２、で示すアイコン同士の属性を順次比較して、互いの目的や互いの属性にとって最適な属性を持つアイコンを検索し、表示する機能を持つプログラムを用いた情報処理の方法
【発明の詳細な説明】
【技術分野】
【０００１】  本発明は、作業内容もしくは関連人員の属性を保有するデータベースを付加されたアイコンと、該アイコンとの接触を検知し、アイコン同士の属性情報の変更ならびに管理情報の変化を検知し把握するワークシートを用いた情報処理方法に関する
【背景技術】
【０００２】従来の企業内の業務処理システムにおいては、一般にグループウェアと称される共同作業処理プログラムとリレーショナルデータベースが用いられ、共同で一つの業務処理を行うことができ、また、異なるデータ間の連関した処理とデータベース中に登録された情報属性の変換を行うことができた【０００３】しかし、異なるデータ間の連関した処理とデータベースの更新には、データ形式の変換定義のための手続きが煩雑で、多大な操作上の手間がかかったものである【０００４】さらに、従来のリレーショナルデータベース型システムの限界として、異なるデータベース間を有機的に結合する機能に限定され、時間の推移とともに変化する業務の動的な情報を関係者が適切に把握認識し、変化に対応する行動を操作者に促し、迅速に対応処置を起こせる機能を有しなかった【０００５】また、動的な情報のリアルタイムな把握と管理には、すべての関係者が情報をリアルタイムに共有できるネットワークを通じた操作と管理が欠かせないが、従来使われているグループウェアとリレーショナルデータベースにおいては、ネットワーク上に掲示し、ネットワークを経由した情報の共有化と情報の更新処理が困難だったものである【０００６】すなわち、従来システムでは、業務処理のためにいちいち当該プログラムもしくはデータファイルを開かなくてはならない限界を有し、また、ネットワークを経由してのリアルタイムでのデータやスケジュールの更新入力等に対応できない限界があった【０００７】もちろん、従来でも、ネットワーク環境下でＷＥＢページを形成するページ記述言語を用いれば、ある特定の作業領域に対してその領域が指定された場合に、あらかじめ定められたアドレスにジャンプできる機能は一般的に用いられている【０００８】しかしながら、ある特定の領域にあらかじめ標準的な役割と意味を付与し、かつ、特定の属性情報を有するアイコンとの接触によって、その接触の意味を判別し、動的な行動の処理や集計を成しうる機能は存在していなかった【０００９】企業内の業務処理においては、各業務間における進行状況の把握や業務遂行上の課題の把握の効率化のためにアイコンを駆使した視覚的機能を有する処理システムを用い、進行状況や課題を即座に各構成員が把握する機能が求められるが、従来技術におけるアイコンは単機能コマンドの具現化にとどまり、多岐にわたる有意のデータベース情報を具現化するものではなかった
【発明の開示】
【発明が解決しようとする課題】
【００１０】リレーショナルデータベース使用時におけるデータ形式の変換定義のための煩雑な手続きと多大な操作上の手間を解決する【００１１】異なるデータベース間を有機的に結合する機能に限定され、時間の推移とともに変化する業務の動的な情報を関係者が適切に把握認識し、変化に対応する行動を操作者に促し、迅速に対応処置を起こせる機能を有しなかったリレーショナルデータベースの限界を解決する【００１２】従来使われているグループウェアとリレーショナルデータベースにおいては、ネットワークを経由した情報の共有化と情報の更新処理が困難だった限界を解決する【００１３】各業務間における進行状況の把握や業務遂行上の課題の把握の効率化のために、進行状況や課題を即座に各構成員が把握する機能が求められるが、従来技術においてはかかる機能を具現化できなかった限界を解決する【００１４】従来技術におけるアイコンは単機能コマンドの具現化にとどまり、多岐にわたる有意のデータベース情報を具現化するものではなかった限界を解決する
【課題を解決するための手段】
【００１５】上記問題点を解決するために、各業務別の作業特性を網羅したデータベース属性を保有する情報をアイコン化し、かつ、当該作業に携わる人的要員のデータベース属性をアイコン化し、該アイコンを作業の進行状況に即して形成されるアイコンの貼付や接触を検知しうる機能を有するワークシート上に貼りつけることによって、作業の進行状況をリアルタイムに更新可能な、動的かつ視覚的な情報として表示できる【００１６】上記問題点を解決するために、作業構成要素や要員属性をアイコン化することにより、また作業工程をシート化することにより、当該作業にかかわるメンバー全員が、ワークシート上での業務の変動や推移を共有し、視覚的かつ動的に把握することができ、メンバー全員が作業遂行上の問題点を視覚的かつ動的に認識し把握できる【００１７】上記問題点を解決するために、属性としてのデータベースを保有する作業構成要素や要員属性の情報をアイコン化し、かつ当該アイコンを画面上で任意に移動させ、任意に接合することにより、データベース相互間のリレーショナルな関係の設定や属性の変更を、煩雑な手間をかけることなしに行うことができる【００１８】上記問題点を解決するために、ネットワーク環境下で多数の構成要員が同一の作業を空間の制限を越えて共同で処理するために、本システムで用いるワークシートの構成要素はＨＴＭＬもしくはＸＭＬを用いるＷＥＢ記述言語で作成できる範囲で構成される【００１９】上記問題点を解決するために、ネットワーク環境下で多数の構成要員が同一の作業を空間の制限を越えて共同で処理するために、ワークシートをＷＥＢ上に公開し、ＷＥＢ上の動作環境化ですべての業務処理を行えるように構成される【００２０】上記問題点を解決するために、本発明は、アイコンを単機能表現だけでなく多機能で複雑な要素をも包括しうる行動表現機能データベースを保持できるよう構成した【００２１】上記問題点を解決するために、本発明は、業務における行動表現機能を保持するために、あらかじめ業務プロセスならびに作業に関わるデータベース構成要素を標準化しておくことにより、業務の進行に伴って変動する要素を動作画面上で検知し、各業務における進行状況の把握や課題の把握を、アイコンの操作だけで各関係者が視覚的かつ動的に共有し、迅速に適切な処理が行えるように考案した
【発明の効果】
【００２２】従来システムは高価であり中小規模企業には使用しづらいものであったが、本発明はネットワーク環境下での一般的なＷＥＢ機能を全面的に活用するため、特別に複雑なシステム機能やリレーショナルデータベースを有しないために廉価であり、組織や企業の規模に関わらず容易に使用でき、簡単な初期設定だけで簡便に使用できる。個人でも、ＮＰＯのような組織でも、大規模企業でも組織や企業の規模に関わらず使用可能である【００２３】また、本発明の活用により、プロジェクト経緯と各構成員の実績がシステム上でリンクされ、組織と業績が完全にリンクされて本発明上に登録され、表示され、各構成員の実績を一目で容易に把握することができる【００２４】さらに、個人で本発明を使用する場合には、該操作者の関わるすべての人間関係をアイコン化することにより容易にすべての個人情報が管理可能となり、かつ、各アイコン同士を関連付けることにより、関係の変化を視覚的に管理することができる【００２５】また、個人で本発明を使用する場合には、操作者の嗜好や要望、さらには目的に応じた最適な相手を検知し、収集する操作が可能となる【００２６】また、本発明は、業務形態が多岐にわたる各種業務に対応する、あらかじめ業務プロセスを標準化するワークシートを各種業務別に生成する機能を有し、業務形態や業務の規模に関わらず、個人でも、ＮＰＯのような組織でも、大規模企業でも組織や企業の規模に関わらず使用可能である【００２７】さらに、従来システムでは、作業結果レポートの出力を行うためには、あらためてワープロ等で作成しなおしたり、または煩雑な手間を経てレポートを作成しなくてはならない限界があったが、本発明においては、操作する各アイコン上に業務内容が定義されているゆえ、画面上で作業を行うことで結果情報が即生成され、レポートの出力が可能である。すなわち、いちいち報告書等の業務文書を作成する手間が不用になる【００２８】さらに、本発明では、全社的な情報の徹底した共有を行える。本発明では、社内の業務情報処理領域をインターネット空間そのものと考えることができ、社内ネットワークで結ばれたすべての情報要素を一つの巨大なシステムとみなし、それらの提供する各種サービスや課題を社内のすべてのユーザーやプログラムからアクセス可能にし、解決可能にし、共有可能にする
それによって、社員一人ひとりの表現行為が他者の表現行為と自由に結び付けられることで、共同作業による創造行為の可能性が飛躍的に発展できる
【実施例】
【００２９】「図１」から「図１３」までの各図に基づいて、発明の実施形態を説明する【００３０】「図１」においては、本発明による業務実施例全体の概念とフローを説明する【００３１】「図２」においては、本発明を一般的なビジネス業務の処理に適用した場合の実施例を説明する【００３２】「図２」においては、アイコン作成定義プログラム（２）を駆動して、コンピュータに接続された、スキャナもしくはタブレット等の入力装置から対象者の写真もしくは似顔絵をコンピュータに取り込み、対象者の顔の輪郭もしくは人体の全体像を具現化した人間の形状を模式化した図形であるアイコンを生成し、【００３３】作成したアイコンについて、社員データベース作成・更新プログラム（３）を駆動し、社員の属性を入力し、登録し【００３４】組織図の各部署に上記「００３２」で作成した社員のアイコンを順次貼付、階層別部門別に図示された該組織の組織図（４）を作成する【００３５】さらに、各部門各担当者別に、その部門やその当事者ごとに抱えている業務プロジェクトをプロジェクト進行管理表（４）に表すために、ワークシート作成プログラム（１）を駆動し、当該業務に適応する形式でプロジェクト進行管理表（５）を作成する【００３６】プロジェクトデータベース作成・更新プログラム（６）を駆動し、各部門各担当者別にその部門やその当事者ごとに抱えている業務プロジェクトをプロジェクト進行管理表に表す【００３７】作成されたプロジェクト進行管理表（５）には、そのプロジェクトに携わるメンバーすべてのアイコンを貼付、かつプロジェクトの進行中に発生する課題やプロジェクトの進行に必要な資源等をアイコンとして定義し、貼り付けていく【００３８】また、プロジェクト進行管理表において定義したプロジェクトの予測工程から、スケジュール表作成プログラム（７）を介してそのプロジェクトを進行するための予定スケジュール表を作成する【００３９】作業の進行とともにプロジェクト進行管理表（５）に貼り付けられた各アイコンの属性を検知し、該プロジェクトの推進に当たって、どの担当者がどれだけ貢献したか、または、各担当者がどれほど価値のあるプロジェクトを処理してきたかの情報を摘出し、業務実績データベース（８）、担当者別能力評価データベース（９）に集計登録する【００４０】さらに、該プロジェクトの計画概要、該プロジェクトの履歴、該プロジェクトの進捗報告等の提出情報も、プロジェクト進行管理表に貼り付けられたメンバーや課題、資源アイコンの情報から抽出され、レポートとして生成され出力される【００４１】「図３」において、組織図（４）の作成プロセスならびに、社員データベース作成・更新プログラム（３）を駆動し、社員の属性を入力し、登録するプロセスを説明する【００４２】一般的な企業組織の階層的な構造を示す標準組織図モデルを操作者に示し、該組織図上に操作者の属する企業独自の組織名や部門名を定義し、該組織図を修正して、操作者の属する企業独自の組織図を作成する【００４３】作成された組織図（４）上の各部門別の所定の領域に、社員データベース作成・更新プログラム（３）を用いて作成する属性情報が包含された社員個々人のアイコンをマウス等の操作によって貼り付けていく【００４４】社員個々人の属性情報には、業務に関連する属性情報として氏名、年齢、所属、実績、役職、スキル等が登録され、さらに、個々人の属性情報として、住所や誕生日、家族構成、趣味、特技などが登録される【００４５】作成、登録された社員個々人の属性情報から、あらかじめ定めた所定の項目を元に情報を抽出し、個人業務実績データベース（８）、プロジェクトデータベース、社員データベースの内容が新規作成もしくは更新作成され、登録保管される【００４６】「図４」では、社員データベース（３）の作成と更新の方法について説明する【００４７】本発明においては、社員データベース（３）の作成に当たって、登録済みのデータベースから登録済みのアイコンを呼び出して作成する場合と、アイコンを優先して作成する場合の二通りの方法が可能である【００４８】登録済みのデータベースから登録済みのアイコンを呼び出して作成する場合には、すでにアイコンデータベース（１０）に作成し登録してあるアイコンや、組織図中に貼り付けてあるアイコンを適時呼び出して、属性を入力することにより新たなアイコンが作成され、社員データベース（３）に保管される【００４９】アイコンを優先して作成する場合には、アイコン作成／定義プログラム（２）を駆動し、写真から似顔絵を作成し、もしくは対象者に見合う似顔絵を作成し、もしくはスキャナから読み込んだ画像を元に似顔絵を作成し、属性を入力して社員データベース（３）に保管される【００５０】「図５」では、プロジェクト進行管理表（５）とプロジェクトデータベースの作成と更新の方法について説明する【００５１】プロジェクトデータベース作成プログラム（６）を駆動し、担当しているプロジェクトの内容を、プロジェクト名、プロジェクトコード、ＩＤ・パスワード、分類・区分、重要度、目的、予測成果、開始時期、終了時期等の構成情報を入力し、プロジェクトデータベースを作成する【００５２】作成された個別のプロジェクトデータベースは、プロジェクトアイコンとして具象化される【００５３】また、作成された個別のプロジェクトデータベースは、記入された分類・区分コードを検索キーとして部門別、担当別に区分し、登録保管される【００５４】作成された個別のプロジェクトデータベースの記入項目から、記入されたプロジェクト名、分類・区分コード、開始時期、終了時期、予測工程等の事項を参照し、プロジェクト進行管理表作成プログラムを介在してプロジェクト進行管理表（５）が作成される【００５５】プロジェクト進行管理表（５）には、組織図（４）から関連メンバーのアイコンを貼付、もしくは記入されたメンバー・担当コードを検索キーとしてメンバーのアイコンを貼付、さらに、業務の遂行に伴って発生する課題、資源等のアイコンを貼付ながら、業務の推進状況を管理する【００５６】業務上の課題に対して有効な解決手段を提起したメンバーや関係者は、解決アイコンをプロジェクト進行管理表に貼付、解決の成果を業務実績データベース（８）に記録する【００５７】「図６」では、プロジェクト進行管理表とスケジュール表の作成について説明する【００５８】上記「００５４」で記述したごとく、作成された個別のプロジェクトデータベースの記入項目から、記入されたプロジェクトコード、開始時期、終了時期、予測工程等の事項を参照し、スケジュール表作成プログラム（７）を介して基本スケジュール表が作成される【００５９】基本スケジュール表は、記入されたプロジェクトコードを参照して、全社プロジェクトであれば全社スケジュール表、部門別プロジェクトであれば全社スケジュール表、担当別プロジェクトであれば担当別スケジュール表、が生成される【００６０】また、基本スケジュール表は、記入された開始時期、終了時期、予測工程等の事項を参照して、月別、週別、日別の各スケジュール表が生成される【００６１】「図７」においては、作業アイコンの構成とデータベースの連関について説明する【００６２】プロジェクトの推進に当たって発生する個々の業務に関しては、アイコン作成定義プログラム（２）を介し、当該作業名、業務分野、業務内容、業務コード、作業者等の必要情報を入力して当該作業のデータベースを作成し、作成された個別の作業データベースは、作業アイコンとして具象化され、プロジェクト進行管理表（５）に貼り付けて作業の進行を管理する【００６３】作成された作業アイコンは、メンバーアイコン、課題アイコン、資源アイコン、解決アイコン等とともに、アイコンデータベース（１０）上に保管される【００６４】「図８」においては、各業務アイコンの属性情報の構成について説明する【００６５】「図９」では、業務の推進に伴って各業務アイコンがプロジェクト進行管理表（５）上に貼り付けられてその進行を管理し、かつ、各業務アイコンが貼り付けられた時点で、プロジェクトデータベース、業務実績データベース（６）、担当別能力評価データベースが更新される、データベースの連関構成を示す【００６６】「図１０」では、プロジェクト進行管理表（５）の具体例を表示し、各月ごとに作業区分が割り当てられたプロジェクト進行管理表上に、各業務アイコンを貼り付けていきながら業務の進行状況を管理する状態を示す【００６７】さらに、プロジェクト進行管理表上では、当初予定と実際の進行の貼付領域が設定され、当初予定に貼り付けた業務アイコンと実際の進行に貼り付けた同一の業務アイコンが相違した場合には、トラブルの発生と認識し、各メンバーに対して解決アイコンの貼付を促す【００６８】同じく、プロジェクト進行管理表上では、予算と経費の貼付領域が設定され、予算に入力した数値と実際の経費に入力した数値が相違した場合には、トラブルの発生と認識し、各メンバーに対して解決アイコンの貼付を促す【００６９】さらに、プロジェクト進行管理表上では、想定課題の貼付領域が設定され、課題アイコンが貼り付けられた場合には問題の発生と認識し、各メンバーに対してフォローアドバイスアイコンや提案アイコン、もしくは解決アイコンの貼付を促し、問題解決と業務の円滑な推進を行うものである【００７０】「図１１」においては、「前図１０」におけるプロジェクト進行管理表上での課題の検出ならびに異常の検出を構成メンバーに通知し、各メンバーに対してフォローアドバイスアイコンや提案アイコン、もしくは解決アイコンの貼付を促していくプロセスをフローチャートとして示したものである【００７１】「図１２」は、本発明を個人情報の管理に用いた場合の実施例を示す【００７２】本発明を個人情報の管理に用いた場合においても、アイコン作成定義プログラム（２）を駆動して、コンピュータに接続された、スキャナもしくはタブレット等の入力装置から対象者の写真もしくは似顔絵をコンピュータに取り込み、対象者の顔の輪郭もしくは人体の全体像を具現化した人間の形状を模式化した図形であるアイコンを生成し【００７３】作成したアイコンについて、人脈データベース作成・更新プログラム（１１）を駆動し、操作者に関連する人の属性を入力し、登録し【００７４】別に作成した人脈図作成プログラムを駆動し、該関係者のアイコンを貼付けて人脈図（１２）を作成する【００７５】さらに、各操作者ごとに、ワークシート作成プログラム（１）を駆動し、自分の関心のある分野や興味のある分野を網羅したライフステージシート（１３）を作成する【００７６】作成されたライフステージシート（１３）には、操作者に携わるすべての人間アイコンを貼付、かつ生活の過程で発生する興味や関心のある情報や生活に必要な資源等をアイコンとして定義し、貼り付けていく【００７７】さらに、本発明を個人情報の管理に用いた場合では、操作者の作成したすべての人脈同士の関係を把握するために、人間関係調整プログラム（１４）を用い、互いの人脈アイコン間の関係の深さや疎遠さをアイコン同士の移動接触、もしくは関係の変化を規定するスケールである関係インジケータ（１５）の設定の作業を通じて定めることができる【００７８】さらに、操作者の作成したすべての人脈同士の関係を把握するために、人間関係調整プログラム（１４）を用い、操作者の行動の結果、行動の対象者であるアイコンとの間の関係の変化をアイコン同士の移動、もしくは関係の変化を規定するスケールである行為・結果インジケータ（１６）の設定の作業を通じて定めることができる。【００７９】図１３は、作成したライフステージシート上に、操作者に携わるすべての人間アイコンを貼付、かつ生活の過程で発生する興味や関心のある情報や生活に必要な資源等をアイコンとして定義し、貼り付け使用する具体例を示したものである
【産業上の利用可能性】
【００８０】本発明は、一般企業内における汎用的な業務処理に適応するシステムであるとともに、業務の推移のプロセスを、動的に関連メンバーが容易に視認しながら作業を共同で遂行しうる特徴を持ち、
かつ、アイディアや提案、さらには課題や問題点を適宜ワークシート上に貼り付けて共同で業務を進行しうる特徴を持つことから、
業務上で発生するトラブルや事件、もしくは共同でその原因やプロセスを究明すべき事象の解析に有効なシステムである
さらには、本発明を用いて解析、究明したプロセスを、事前に設定した各業務対応の専用書式に即したレポート作成機能につなげられることから
本発明は、報道や事件解明、発明や発見のプロセス究明、医療や教育、能力開発の分野でその効果を発揮する
【図面の簡単な説明】
【００８１】
【図１】本発明のシステムの概要図である
【図２】本発明のシステムの概念図である
【図３】本発明を用いた組織図と社員データベースの構成図と連関図である
【図４】本発明を用いた社員データベースの作成方法と構成図である
【図５】本発明を用いたプロジェクト進行管理表およびプロジェクトデータベースの構成と連関図である
【図６】本発明を用いたプロジェクト進行管理表とスケジュール表の作成例である
【図７】本発明を用いた作業アイコンの構成とデータベース連関図である
【図８】本発明を用いた業務アイコンの構成図である
【図９】本発明を用いた業務アイコンの構成とデータベース連関図である
【図１０】本発明を用いた業務アイコンとプロジェクト進行管理表運用例である
【図１１】本発明を用いた業務アイコンとプロジェクト進行管理表関連図である
【図１２】本発明をプライベートで使用する場合の概念図である
【図１３】本発明をプライベートで使用する場合の使用例である
【図１】
2007299360.tif 000003
【図２】
2007299360.tif 000004
【図３】
2007299360.tif 000005
【図４】
2007299360.tif 000006
【図５】
2007299360.tif 000007
【図６】
2007299360.tif 000008
【図７】
2007299360.tif 000009
【図８】
2007299360.tif 000010
【図９】
2007299360.tif 000011
【図１０】
2007299360.tif 000012
【図１１】
2007299360.tif 000013
【図１２】
2007299360.tif 000014
【図１３】
2007299360.tif 000015